(57)【要約】【課題】多数の電動ブラインドの動作を一括して制御する電動ブラインドの制御装置において、採光量を調節するための制御動作の精度を向上させ得る電動ブラインドの制御装置を提供する。【解決手段】多数の電動ブラインド１に対し、スラットの高さ及び角度を自動的に調整する機能を備えた電動ブラインドの制御装置において、太陽からの直射光の有無を検出する屋外照度計４と、各電動ブラインド１にそれぞれ設けた屋内照度計５と、太陽からの直射光が入射する位置に設置された電動ブラインドに対し、屋外照度計４で検出した照度値があらかじめ設定された規定値を超えるとともに、屋内照度計５で検出した照度値が規定値を超えないとき、当該電動ブラインド１のスラットの角度を、外光を採り入れる角度に制御する日陰制御装置３とを備えた。【選択図】図１
2008156817.tif 000002
【特許請求の範囲】
【請求項１】
多数の電動ブラインドに対し、スラットの高さ及び角度を自動的に調整する機能を備えた電動ブラインドの制御装置において、
太陽からの直射光の有無を検出する屋外照度計と、
前記各電動ブラインドにそれぞれ設けた屋内照度計と、
太陽からの直射光が入射する位置に設置された電動ブラインドに対し、前記屋外照度計で検出した照度値があらかじめ設定された規定値を超えるとともに、前記屋内照度計で検出した照度値が前記規定値を超えないとき、当該電動ブラインドのスラットの角度を、外光を採り入れる角度に制御する日陰制御装置と
を備えたことを特徴とする電動ブラインドの制御装置。
【請求項２】
多数の電動ブラインドに対し、スラットの高さ及び角度を自動的に調整する機能を備えた電動ブラインドの制御装置において、
前記各電動ブラインドにそれぞれ設けた屋内照度計と、
太陽からの直射光が入射しない位置に設置された電動ブラインドに対し、前記屋内照度計で検出した照度値があらかじめ設定された規定値を超えるとき、当該電動ブラインドのスラットの角度を、反射光を遮断する角度に制御する反射光制御装置と
を備えたことを特徴とする電動ブラインドの制御装置。
【請求項３】
多数の電動ブラインドに対し、スラットの高さ及び角度を自動的に調整する機能を備えた電動ブラインドの制御装置において、
太陽からの直射光の有無を検出する屋外照度計と、
前記各電動ブラインドにそれぞれ設けた屋内照度計と、
太陽からの直射光が入射する位置に設置された電動ブラインドに対し、前記屋外照度計で検出した照度値があらかじめ設定された規定値を超えるとともに、前記屋内照度計で検出した照度値が前記規定値を超えないとき、当該電動ブラインドのスラットの角度を、外光を採り入れる角度に制御する日陰制御装置と
太陽からの直射光が入射しない位置に設置された電動ブラインドに対し、前記屋内照度計で検出した照度値があらかじめ設定された規定値を超えるとき、当該電動ブラインドのスラットの角度を、反射光を遮断する角度に制御する反射光制御装置と
を備えたことを特徴とする電動ブラインドの制御装置。
【請求項４】
前記日陰制御装置は、
前記屋内照度計で検出した照度値が前記規定値を超えないとき、当該電動ブラインドに隣接する電動ブラインドの屋内照度計の照度値が前記規定値を超えるか否かを判定し、該規定値を超える場合には前記当該電動ブラインドのスラットの角度を直射光を遮断する角度とする境目制御部を備えたことを特徴とする請求項１又は３記載の電動ブラインドの制御装置。
【請求項５】
前記境目制御部は、同一のフロアに設置されるすべての電動ブラインドの屋内照度計の照度値が前記規定値を超えないとき、同一のフロアに設置されるすべての電動ブラインドのスラットの角度を、外光を採り入れる角度に制御することを特徴とする請求項４記載の電動ブラインドの制御装置。
【請求項６】
前記反射光制御装置は、
前記屋内照度計で検出した照度値が前記規定値を超えないとき、当該電動ブラインドに隣接する電動ブラインドの屋内照度計の照度値が前記規定値を超えるか否かを判定し、該規定値を超える場合には前記当該電動ブラインドのスラットの角度を反射光を遮断する角度とする境目制御部を備えたことを特徴とする請求項２又は３記載の電動ブラインドの制御装置。
【請求項７】
前記各電動ブラインドには、前記屋内照度計で検出した複数の照度値データの平均を算出して前記照度値として出力する平均照度値演算部を備えたことを特徴とする請求項１乃至６のいずれか１項に記載の電動ブラインドの制御装置。
【発明の詳細な説明】
【技術分野】
【０００１】
この発明は、太陽光線の室内への入射量を自動的に制御する電動ブラインドの制御装置に関し、特に隣接する建物等によって日陰になった場合、その日陰に対応した制御機能を備え、あるいは隣接する建物に反射した反射光が入射する場合、その反射光に対応した制御機能を備えた電動ブラインドの制御装置に関するものである。
【背景技術】
【０００２】
電動ブラインドの制御装置は、ビルの外壁面に沿って多数設けられた窓にそれぞれ設置された電動ブラインドに対し、ブラインドの開度（スラットの昇降位置）及びスラット角度を自動的に制御して直射日光を遮り、あるいは室内への採光量を最適に制御するものである。
【０００３】
このような制御装置では、時刻とともに変化する太陽の方位角と高度を計算し、その計算結果に基づいて直射光を遮るために最適なスラット角度を算出し、算出されたスラット角度に基づいてスラットの角度を制御する機能や、所定の時刻毎にブラインド開度及びスラット角度を自動制御するスケジュール機能を備えたものがある。
【０００４】
また、隣接する建物等によって日陰となる場合には直射光が入射しないため、日陰に位置する電動ブラインドのスラットを回動させて、十分な外光を取り入れるようにする日陰制御機能や、隣接する建物に反射した反射光の入射を阻止する反射光制御機能を備えた制御装置も提案されている。
【０００５】
特許文献１には、隣接する建物等の位置及び形状に基づいて、当該建物等で生成される日陰をシミュレーションで算出し、算出された日陰内に位置する電動ブラインドに対し日陰制御を行うようにした制御装置が開示されている。
【０００６】
特許文献２には、太陽光の入射角と、隣接する建物の位置及び形状とに基づいて反射光の入射角を算出し、その反射光の入射角に基づいて反射光制御を行うようにした制御装置が開示されている。
【特許文献１】特許第３５６１２２４号公報
【特許文献２】特許第３５５４５１０号公報
【発明の開示】
【発明が解決しようとする課題】
【０００７】
特許文献１に記載された電動ブラインドの制御装置では、隣接する建物等で生成される日陰をシミュレーションで算出するために、建物等の位置及び形状をデータとして入力する必要がある。従って、データの入力作業が煩雑であるとともに、隣接する建物の状況が変化した場合には、データを入力し直す必要がある。
【０００８】
また、日陰をシミュレーションで擬似的に算出するため、シミュレーション結果と実際に生成される日陰の範囲とに誤差が生じる。このため、正確で確実な日陰制御を行うことができないという問題点がある。
【０００９】
特許文献２に記載された電動ブラインドでは、反射光の入射角を算出するために、反射物の外形寸法と相対位置等のデータを入力する必要があるため、その入力作業が煩雑となるという問題点がある。
【００１０】
また、反射光をシミュレーションで擬似的に算出するため、シミュレーション結果と実際に生成される反射光とに誤差が生じる。このため、正確で確実な反射光制御を行うことができないという問題点がある。
【００１１】
この発明の目的は、多数の電動ブラインドの動作を一括して制御する電動ブラインドの制御装置において、採光量を調節するための制御動作の精度を向上させ得る電動ブラインドの制御装置を提供することにある。
【課題を解決するための手段】
【００１２】
上記目的は、多数の電動ブラインドに対し、スラットの高さ及び角度を自動的に調整する機能を備えた電動ブラインドの制御装置において、太陽からの直射光の有無を検出する屋外照度計と、前記各電動ブラインドにそれぞれ設けた屋内照度計と、太陽からの直射光が入射する位置に設置された電動ブラインドに対し、前記屋外照度計で検出した照度値があらかじめ設定された規定値を超えるとともに、前記屋内照度計で検出した照度値が前記規定値を超えないとき、当該電動ブラインドのスラットの角度を、外光を採り入れる角度に制御する日陰制御装置とを備えた電動ブラインドの制御装置により達成される。
【００１３】
また、上記目的は、多数の電動ブラインドに対し、スラットの高さ及び角度を自動的に調整する機能を備えた電動ブラインドの制御装置において、前記各電動ブラインドにそれぞれ設けた屋内照度計と、太陽からの直射光が入射しない位置に設置された電動ブラインドに対し、前記屋内照度計で検出した照度値があらかじめ設定された規定値を超えるとき、当該電動ブラインドのスラットの角度を、反射光を遮断する角度に制御する反射光制御装置とを備えた電動ブラインドの制御装置により達成される。
【００１４】
また、上記目的は、多数の電動ブラインドに対し、スラットの高さ及び角度を自動的に調整する機能を備えた電動ブラインドの制御装置において、太陽からの直射光の有無を検出する屋外照度計と、前記各電動ブラインドにそれぞれ設けた屋内照度計と、太陽からの直射光が入射する位置に設置された電動ブラインドに対し、前記屋外照度計で検出した照度値があらかじめ設定された規定値を超えるとともに、前記屋内照度計で検出した照度値が前記規定値を超えないとき、当該電動ブラインドのスラットの角度を、外光を採り入れる角度に制御する日陰制御装置と、太陽からの直射光が入射しない位置に設置された電動ブラインドに対し、前記屋内照度計で検出した照度値があらかじめ設定された規定値を超えるとき、当該電動ブラインドのスラットの角度を、反射光を遮断する角度に制御する反射光制御装置とを備えた電動ブラインドの制御装置により達成される。
【発明の効果】
【００１５】
本発明によれば、多数の電動ブラインドの動作を一括して制御する電動ブラインドの制御装置において、採光量を調節するための制御動作の精度を向上させ得る電動ブラインドの制御装置を提供することができる。
【発明を実施するための最良の形態】
【００１６】
以下、この発明を具体化した一実施の形態を図面に従って説明する。図１は、電動ブラインドの制御装置の概要を示す。電動ブラインド１は、ビルの外壁面に沿って多数設けられた窓にそれぞれ設置され、ビルの各フロア毎に設置されるフロア制御器２に当該フロアに設置される電動ブラインド１が接続される。
【００１７】
各フロア制御器２は、メイン制御器として動作するパソコン３に接続され、パソコン３には屋外照度計４が接続される。この屋外照度計４は、ビルの屋上等、他の建物により日陰とならない位置に設置され、屋外の照度すなわち太陽光の強さを検出し、その検出値をデジタル信号に変換してパソコン３に出力するようになっている。
【００１８】
前記各電動ブラインド１には屋内照度計５がそれぞれ接続されている。この屋内照度計５は、各電動ブラインド１に入射する太陽光の強さを照度値として検出し、その照度値をデジタル信号に変換して各電動ブラインド１のヘッドボックスに内蔵される制御部６に出力する。
【００１９】
図２は、前記制御部６の構成を示す。電源供給部７は、マイコン８、モータ駆動回路９及び制御部６内のその他の回路に電源を供給する。モータ駆動回路９にはモータ１６が接続され、そのモータ１６はマイコン８からモータ駆動回路９に出力される制御信号に基づいてモータ制御回路９により駆動される。そして、モータ１６の作動により各電動ブラインド１のスラットの高さ及び角度が制御される。
【００２０】
前記マイコン８には前記屋内照度計５が接続され、マイコン８は屋内照度計５から出力される照度値を例えば一分間隔等の一定周期で取り込んで、メモリ１０に格納する。そして、マイコン（平均照度値演算部）８は、最新の５つの照度値の平均を算出し、平均照度値としてメモリ１０に格納する。
【００２１】
接点スイッチ入力部１１は、各電動ブラインド１に設けられる接点式操作スイッチから出力される操作信号を受信してマイコン８に出力する。通信系スイッチ入力部１２は、各電動ブラインド１を介して複数の電動ブラインド１を制御するための通信系スイッチから出力される指令信号を受信してマイコン８に出力する。
【００２２】
受信回路１３は、前記フロア制御器２から出力される通信信号を受信して、マイコン８に出力する。送信回路１４は、マイコン８から出力される通信信号をフロア制御器２に出力する。
【００２３】
ディップスイッチ１５は、当該電動ブラインド１を識別するための番号があらかじめ設定され、その番号がマイコン８で読み取られて、フロア制御器２との通信の際に各電動ブラインド１を特定するための情報として使用される。
【００２４】
上記のように構成された電動ブラインドの制御装置では、パソコン３と、フロア制御器２と各電動ブラインド１の制御部６にそれぞれ格納されたプログラムに基づいて各電動ブラインド１のスラットの昇降動作及び角度調節動作が制御される。
【００２５】
その制御内容は、日陰制御、反射光制御及びスケジュール制御に大別される。日陰制御は、直射光が照射される壁面に設置される電動ブラインド１において、直射光が照射される電動ブラインド１のスラットは全閉状態とし、隣接する建物等により日陰となる窓に設置された電動ブラインドのスラットを水平方向として外光を取り入れるようにする制御である。
【００２６】
反射光制御は、直射光が照射されない壁面に設置される電動ブラインド１において、隣接する建物等で反射する反射光が入射する電動ブラインド１のスラットを閉じ、その他の電動ブラインド１では外光を取り入れ可能とするスラット角度とする制御である。
【００２７】
また、スケジュール制御は、あらかじめ設定されたスケジュールに基づいてスラットの昇降及び角度を自動的に制御する公知の制御である。
次に、上記のように構成された電動ブラインドの制御装置の日陰制御及び反射光制御についてその動作を説明する。図３は、各電動ブラインド１の制御部６の動作を示す。制御部６は、一分間隔若しくはそれ以下の間隔で屋内照度計５に対し照度値データを要求し（ステップ１）、屋内照度計５から照度値データを受信すると、その照度値データをメモリ１０に順次格納する（ステップ２，３）。
【００２８】
次いで、制御部６はメモリ１０に５つの照度値データを格納すると、その照度値データの平均を算出し、その平均照度値をメモリ１０に格納する（ステップ４）。次いで、制御部６はフロア制御器２からの照度値データの要求を受信すると、メモリ１０に格納されている最新の平均照度値をフロア制御器２に出力し（ステップ５，６）、ステップ１に復帰する。
【００２９】
図４は、フロア制御器２の動作を示す。各フロア制御器２にはパソコン３から種々の指令信号が入力される。パソコン３からの指令信号のうち、照度確認指令が入力されると（ステップ７，８）、フロア制御器２は当該フロアの各電動ブラインド１に平均照度値の送信を要求する（ステップ９）。
【００３０】
そして、各電動ブラインド１から平均照度値を受信すると、その平均照度値を内蔵するメモリに保存し（ステップ１０，１１）、かつ受信した平均照度値をパソコン３に送信する。
【００３１】
パソコン３からの指令信号のうち、各電動ブラインド１の動作を制御するための操作指令信号としてスラットの高さデータ及び角度データが入力されると（ステップ１３，１４）、該当する電動ブラインド１にその高さデータ及び角度データを送信し（ステップ１５）、ステップ７に復帰する。高さデータ及び角度データが送信された電動ブラインド１では、送信された各データに基づいてスラットの昇降操作及び角度調節操作が行われる。
【００３２】
パソコン３は、直射光遮断制御、日陰制御、反射光制御若しくはスケジュール制御を行い、直射光遮断制御、日陰制御及び反射光制御を優先するモードか、若しくはスケジュール制御を優先するスケジュール制御モードかをあらかじめ選択可能となっている。
【００３３】
また、スケジュール制御モードが選択されている場合には、日陰制御及び反射光制御は行われない。スケジュール制御モードが選択されていないとき、例えば直射光が入射する南向きの壁面に設置された電動ブラインド１について直射光遮断制御及び日陰制御を行い、直射光が入射しない他の３面の壁面に設置された電動ブラインド１について直射光遮断制御及び反射光制御を行う。なお、日陰制御を行う壁面と反射光制御を行う壁面とは任意に設定可能である。
【００３４】
次に、パソコン３の日陰制御動作及び反射光制御動作について具体的に説明する。図５に示すように、パソコン３は、まず直射光が入射する壁面の電動ブラインド１に対する日陰制御動作を行うか、直射光が入射しない壁面の電動ブラインド１に対する反射光制御動作を行うかを選択する（ステップ２０）。
【００３５】
そして、日陰制御動作を行う場合にはステップ２１に移行して、前記屋外照度計４から出力される照度値を確認し、その照度値があらかじめ設定されている規定値を超えているか否かを判別する（ステップ２２）。
【００３６】
ステップ２２において、規定値を超えていると判別された場合、すなわち天気が晴天で直射光が入射していると判断されると、制御しようとする電動ブラインド１の平均照度値をフロア制御器２から取り込む（ステップ２３）。
【００３７】
そして、平均照度値があらかじめ設定された規定値を超えている場合には、フロア制御器２に指令信号を出力可能な状態であるかを判定した後（ステップ２４，２５）、直射光遮断制御モードか否かを判定する（ステップ２６）。
【００３８】
そして、直射光遮断制御モードであれば、フロア制御器２に対し当該電動ブラインド１に対する直射光を遮断するための制御データを送信し（ステップ２７）、ステップ２０に復帰する。
【００３９】
また、ステップ２６でスケジュール制御モードが選択されている場合には、あらかじめ設定されているスケジュールに基づく制御データをフロア制御器２に送信し（ステップ２８）、ステップ２０に復帰する。
【００４０】
ステップ２４において、平均照度値が規定値を超えていないと判別されたとき、すなわち当該電動ブラインド１が日陰であると判定された場合には、図６に示すステップ２９に移行する。
【００４１】
そして、フロア制御器２に指令信号を出力可能な状態であるかを判定した後、直射光遮断制御を行うか否かを判定する（ステップ３０）。ここで、直射光遮断モードであれば、ステップ２７に移行する。
【００４２】
ステップ３０で直射光遮断制御モードではない場合にはステップ３１に移行して、日陰制御モードであるか否かを判定し、日陰制御モードである場合にはステップ３２に移行する。
【００４３】
ステップ３２では、日陰に位置すると判定された電動ブラインド１に対し、その上下左右に隣接する電動ブラインド１のいずれかにおいて平均照度値が規定値を超えていて直射光が入射していると判定された電動ブラインド１が存在するか否かを判定する。そして、そのような電動ブラインド１が存在する場合には、当該電動ブラインド１は、日陰となる範囲と直射光が入射する範囲との境目に位置すると判断する。
【００４４】
ステップ３２で当該電動ブラインド１が境目に位置すると判定されたとき、ステップ３３に移行して境目データの送信設定があるか否かを判定する（ステップ３３）。境目データの送信設定とは、境目に位置する電動ブラインド１は直射光遮断制御を行うという設定である。
【００４５】
そして、ステップ３３において境目データの送信設定がある場合には当該電動ブラインド１が属するフロアの他の電動ブラインド１の平均照度値がすべて規定値を下回っているか否かを判定する（ステップ３４）。
【００４６】
そして、同一のフロアでいずれかの電動ブラインドの平均照度値が規定値を超えている場合には、境目であると判定してステップ２７に移行し、当該電動ブラインド１に対する直射光を遮断するための制御データを送信する。同一のフロアの他のすべての電動ブラインドの平均照度値が規定値を下回っている場合には、当該電動ブラインド１の平均照度値が不正確であって境目ではないと判定し、あらかじめ設定されている日陰時の制御データ、すなわち外光を採り入れ得るスラット角度とする制御データを送信し（ステップ３５）ステップ２３に復帰する。このようなステップ３２〜３５の動作により、パソコン３は境目制御部として機能する。
【００４７】
また、ステップ３３で境目データの送信設定がされていない場合と、ステップ３２で境目ではない場合には、ステップ３５に移行して日陰時の制御データを送信する。
また、ステップ３１で日陰制御を行わない場合には、ステップ２８に移行してあらかじめ設定されているスケジュールに基づく制御データをフロア制御器２に送信する。
【００４８】
ステップ２２において、屋外照度計４の照度値が規定値を超えていない場合、すなわち曇天で直射光が入射しないと判定されると、図７に示すステップ３５に移行する。ステップ３５でフロア制御器２に指令信号を出力可能な状態であるかを判定した後、日陰制御を行うモードであるか否かを判定する（ステップ３６）。
【００４９】
そして、日陰制御モードであれば、あらかじめ設定された曇天時の制御データ、すなわち外光を採り入れ得るスラット角度とする制御データを送信し（ステップ３７）、ステップ２０に復帰する。
【００５０】
また、日陰制御モードでなければ、ステップ２８に移行して、あらかじめ設定されているスケジュールに基づく制御データをフロア制御器２に送信し、ステップ２３に復帰する。
【００５１】
図８は、ステップ２０において直射光が入射しない壁面の電動ブラインド１に対する反射光制御動作を選択した場合の動作を示す。同図において、ステップ４１〜４４は、図５に示すステップ２１，２３，２４，２５と同様である。ステップ４３では、平均照度値が規定値を超えている場合には、反射光が入射していることになる。
【００５２】
ステップ４５では、直射光遮断制御モードか否かを判定する。そして、直射光遮断制御モードであれば、フロア制御器２に対し当該電動ブラインド１に対する曇天時の制御データを送信し（ステップ４６）、ステップ２０に復帰する。曇天時の制御データでは、スラットは外光を採り入れ得る角度に制御される。
【００５３】
また、ステップ４５で直射光遮断制御モードが選択されていない場合には、ステップ４７に移行して反射光制御モードか否かを判定する。そして、反射光制御モードであれば、反射光を遮断するための制御データを送信し（ステップ４８）、ステップ２０に復帰する。
【００５４】
ステップ４７で、反射光制御モードが選択されていない場合には、ステップ４９に移行して、あらかじめ設定されているスケジュールに基づく制御データをフロア制御器２に送信し、ステップ２０に復帰する。
【００５５】
ステップ４３において、平均照度値が規定値を超えていないと判別されたとき、すなわち当該電動ブラインド１に反射光が入射していないと判定された場合には、図９に示すステップ５０に移行する。
【００５６】
そして、フロア制御器２に指令信号を出力可能な状態であるかを判定した後、直射光遮断制御を行うか否かを判定する（ステップ５１）。ここで、直射光遮断モードであれば、ステップ４６に移行する。
【００５７】
ステップ５１で直射光遮断制御モードではない場合にはステップ５２に移行して、反射光制御モードであるか否かを判定し、反射光制御モードである場合にはステップ５３に移行する。
【００５８】
ステップ５３では、反射光が入射していないと判定された電動ブラインド１に対し、その上下左右に隣接する電動ブラインド１のいずれかにおいて平均照度値が規定値を超えていて反射光が入射していると判定された電動ブラインド１が存在するか否かを判定する。そして、そのような電動ブラインド１が存在する場合には、当該電動ブラインド１は、反射光が入射する範囲と入射しない範囲との境目に位置すると判断する。
【００５９】
ステップ５３で当該電動ブラインド１が境目に位置すると判定されたとき、ステップ５４に移行して境目データの送信設定があるか否かを判定する（ステップ５４）。境目データの送信設定とは、境目に位置する電動ブラインド１は反射光遮断制御を行うという設定である。
【００６０】
そして、ステップ５４において境目データの送信設定がある場合にはステップ４８に移行し、反射光を遮断するための制御データを送信する。
また、ステップ５４で境目データの送信設定がされていない場合と、ステップ５３で境目ではない場合には、ステップ４６に移行して曇天時の制御データを送信する。
【００６１】
また、ステップ５２で反射光制御を行わない場合には、ステップ４９に移行してあらかじめ設定されているスケジュールに基づく制御データをフロア制御器２に送信し、ステップ４２に復帰する。
【００６２】
上記のような電動ブラインドの制御装置では、次に示す作用効果を得ることができる。
（１）直射光が入射する壁面に設置された電動ブラインド１のうち、隣接する建物等により日陰となる電動ブラインド１では外光を採り入れ、直射光が入射する電動ブラインド１では直射光を遮断することができる。従って、直射光を遮断しながら外光を採り入れることができるので、居住性を向上させ得るとともに、室内の照明器具の使用を控えて電力消費量を低減することができる。
（２）隣接する建物等のデータに基づくシミュレーションで日陰となる領域を算出するのではなく、各電動ブラインド１に設けられた屋内照度計５により、各電動ブラインド１に直射光が入射するか否かを判定することができるので、上記のような日陰制御を正確に行うことができる。
（３）隣接する建物等のデータを入力する必要がなく、各電動ブラインド１に設けられた屋内照度計５により、各電動ブラインド１に直射光が入射するか否かを判定するので、隣接する建物等の変化にも容易に対応することができる。
（４）直射光が入射する領域と日陰となる領域の境界に位置する電動ブラインド１は直射光を遮断する角度にスラットを制御するため、境界に位置する電動ブラインド１からの直射光の入射を確実に防止することができる。
（５）直射光が入射しない壁面に設置された電動ブラインド１のうち、隣接する建物等からの反射光が入射する電動ブラインド１ではその反射光を遮り、その他の電動ブラインド１では外光を採り入れることができる。従って、室内への反射光の入射を防止して、居住性を向上させ得るとともに、室内空調効率を向上させることができる。
（６）隣接する建物等のデータに基づくシミュレーションで反射光が入射する領域を算出するのではなく、各電動ブラインド１に設けられた屋内照度計５により、各電動ブラインド１に反射光が入射するか否かを判定することができるので、上記のような反射光制御を正確に行うことができる。
（７）隣接する建物等のデータを入力する必要がなく、各電動ブラインド１に設けられた屋内照度計５により、各電動ブラインド１に反射光が入射するか否かを判定するので、隣接する建物等の変化にも容易に対応することができる。
（８）反射光が入射する領域と入射しない領域の境界に位置する電動ブラインド１は反射光を遮断する角度にスラットを制御するため、境界に位置する電動ブラインド１からの反射光の入射を確実に防止することができる。
（９）各電動ブラインド１で算出した平均照度値とパソコンで設定された規定値とを比較するため、安定した制御を行うことができる。
【００６３】
上記実施の形態は、以下の態様で実施してもよい。
・日陰制御あるいは反射光制御のいずれかのみを備えた制御装置としてもよい。
【図面の簡単な説明】
【００６４】
【図１】一実施の形態の電動ブラインドの制御装置を示す概要図である。
【図２】電動ブラインドの制御部を示すブロック図である。
【図３】パソコンの制御動作を示すフローチャートである。
【図４】パソコンの制御動作を示すフローチャートである。
【図５】パソコンの制御動作を示すフローチャートである。
【図６】パソコンの制御動作を示すフローチャートである。
【図７】パソコンの制御動作を示すフローチャートである。
【図８】パソコンの制御動作を示すフローチャートである。
【図９】パソコンの制御動作を示すフローチャートである。
【符号の説明】
【００６５】
１…電動ブラインド、３…日陰制御装置及び反射光制御装置（パソコン）、４…屋外照度計、５…屋内照度計。
【図１】
2008156817.tif 000003
【図２】
2008156817.tif 000004
【図３】
2008156817.tif 000005
【図４】
2008156817.tif 000006
【図５】
2008156817.tif 000007
【図６】
2008156817.tif 000008
【図７】
2008156817.tif 000009
【図８】
2008156817.tif 000010
【図９】
2008156817.tif 000011